(57)【特許請求の範囲】
【請求項１】
ディスクが載置されるイジェクト位置と前記ディスクに記憶された情報を読み取る再生位置との間を移動可能に設けられたディスクトレーと、
前記ディスクトレーが出入りするように移動可能に支持する筐体と、
前記ディスクトレーに搭載されたヘッド部及びディスクを回転駆動するディスクモータ等からなる複数の電子部品と、
固定部と、可動部と、該固定部と該可動部とを繋ぐ曲部とを有して、平面図上Ｕ字形状をなし、上記固定部はディスクトレーの移動方向に延在して上記筐体に固定してあり、上記可動部は、イジェクト位置方向へ向けて折り返されており、上記筐体の奥部に向けて凸となるように湾曲された湾曲部が形成されており、且つ先端のディスクトレー側接続部が前記ディスクトレーに接続してあり、前記ディスクトレーに配設された前記電子部品と前記筐体に配設された基板とを電気的に接続するフレキシブルケーブルとを備えてなり、
上記ディスクトレーが移動するときに、上記湾曲部が形成される場所が上記筐体の内部で上記可動部の長手方向に移動する構成のディスクドライブ装置において、
上記フレキシブルケーブルは、上記フレキシブルケーブルを補強する補強用膜を、上記固定部、可動部及び曲部のうち少なくとも上記可動部の表面に有し、且つ、上記可動部の表面のうち前記ディスクトレーが上記イジェクト位置に位置する状態で上記湾曲部が形成される部分を除いた部分であって、上記湾曲部と上記ディスクトレー側接続部との間に有する構成とし、
上記ディスクトレーが上記イジェクト位置に位置する状態では、上記フレキシブルケーブルの上記可動部は上記補強用膜を有しない部分が上記筐体の奥部に向けて凸となるように湾曲されており、上記ディスクトレーが上記再生位置方向へ移動されると、上記湾曲部が上記可動部のうち上記補強用膜を有する部分に移動してくる構成としたことを特徴とするディスクドライブ装置。
【請求項２】
請求項１記載のディスクドライブ装置において、
前記補強用膜は、前記フレキシブルケーブルの前記固定部には形成されていないことを特徴とするディスクドライブ装置。
【請求項３】
請求項１記載のディスクドライブ装置において、
前記補強用膜は、前記フレキシブルケーブルの前記可動部のうち、前記ディスクトレー側接続部と反対側の部位には形成されていないことを特徴とするディスクドライブ装置。
【発明の詳細な説明】
【０００１】
【発明の属する技術分野】
本発明はディスクドライブ装置に係り、ディスクドライブ装置内に剛性を向上させたフレキシブルケーブルを用いることにより、ディスクトレー収納時に該フレキシブルケーブルがディスクトレーと筐体との間に挟まれることを防止するディスクドライブ装置に関する。
【０００２】
近年のディスクドライブ装置が組み込まれるノート型パーソナルコンピュータの小型化、薄型化の要求に伴い、ディスクドライブ装置自体の薄型化が図られており、このためディスクが載置されるディスクトレーとディスクトレーを摺動可能に支持する筐体との間に形成される空間が狭くなっている。
【０００３】
【従来の技術】
ディスクドライブ装置として、例えばＣＤ−ＲＯＭ（以下「ディスク」と称す）に記録された情報をレーザ式ピックアップにより読み取るものがある。
この種のディスクドライブ装置には、ディスクを装着するためのディスクトレー（以下「トレー」と称す）がディスクの着脱を行うイジェクト位置とディスクに記憶された情報を読み取る再生位置との間を摺動可能に設けられたものがある。
【０００４】
図８に従来のディスクドライブ装置１０２を示す。図８（Ａ）に示すように、ディスクドライブ装置１０２を構成するディスクトレー１０６にはディスクを載置し、回転させるターンテーブル１３４及びディスクに記録された情報を光学的に検出するピックアップ部（図示せず）等が設けられている。
また、トレー１０６と筐体１０４との間にはフレキシブルケーブル１１０が配設されている。このフレキシブルケーブル１１０は、トレー１０６と筐体１０４との位置関係に応じて湾曲した状態で配設されている。更に、フレキシブルケーブル１１０は、トレー１０６に配設された基板１３８と筐体１０４内に配設された基板１４０とを電気的に接続しており、トレー１０６が移動する際、湾曲部１１０ａがディスクトレー１０６の摺動に追従して筐体１０４内を移動する。
【０００５】
【発明が解決しようとする課題】
図８（Ｂ）に示されるように、ディスクドライブ装置１０２の薄型化により、筐体１０４内部は狭く、フレキシブルケーブル１１０が緩やかに撓むことができない。従って、トレー１０６が筐体１０４内に収納される時にはフレキシブルケーブル１１０の湾曲部１１０ａが筐体内面１０４ａに接触することがある。その場合、筐体内面１０４ａとの接触による抵抗でトレー１０６と筐体１０４との隙間から逃げ場を失ったフレキシブルケーブル１１０の一部分１１０ｂがはみ出てしまう。
【０００６】
更に、トレー１０６が筐体１０４内へ移動し続けると、トレー後縁部１０６ａと筐体前縁部１０４ｂとの間で、前記フレキシブルケーブル１１０のはみ出た部分１１０ｂを挟んでしまうという問題が生ずる。このようにフレキシブルケーブル１１０が挟まれた場合、トレー１０６が完全に筐体１０４内に収納されないばかりか、フレキシブルケーブル１１０自体に損傷を与えてしまう恐れがある。
【０００７】
ここで、上記問題を解決するためフレキシブルケーブル１１０に樹脂等の薄板を貼り付けて補強を行うと、トレー１０６収納時にスムースに収納できずゴリゴリといった違和感を感じることが有る。
本発明は上記の点に鑑みてなされたものであり、ディスクトレーの筐体への収納時にフレキシブルケーブルがディスクトレーと筐体との隙間からはみ出ることを防止すると共に、ディスクトレーがスムースに収納されるディスクドライブ装置を提供することを目的とする。
【０００８】
【課題を解決するための手段】
上記課題を解決するために本発明では、次に述べる各手段を講じたことを特徴とするものである。
請求項１記載の発明では、
ディスクが載置されるイジェクト位置と前記ディスクに記憶された情報を読み取る再生位置との間を移動可能に設けられたディスクトレーと、
前記ディスクトレーが出入りするように移動可能に支持する筐体と、
前記ディスクトレーに搭載されたヘッド部及びディスクを回転駆動するディスクモータ等からなる複数の電子部品と、
固定部と、可動部と、該固定部と該可動部とを繋ぐ曲部とを有して、平面図上Ｕ字形状をなし、上記固定部はディスクトレーの移動方向に延在して上記筐体に固定してあり、上記可動部は、イジェクト位置方向へ向けて折り返されており、上記筐体の奥部に向けて凸となるように湾曲された湾曲部が形成されており、且つ先端のディスクトレー側接続部が前記ディスクトレーに接続してあり、前記ディスクトレーに配設された前記電子部品と前記筐体に配設された基板とを電気的に接続するフレキシブルケーブルとを備えてなり、
上記ディスクトレーが移動するときに、上記湾曲部が形成される場所が上記筐体の内部で上記可動部の長手方向に移動する構成のディスクドライブ装置において、
上記フレキシブルケーブルは、上記フレキシブルケーブルを補強する補強用膜を、上記固定部、可動部及び曲部のうち少なくとも上記可動部の表面に有し、且つ、上記可動部の表面のうち前記ディスクトレーが上記イジェクト位置に位置する状態で上記湾曲部が形成される部分を除いた部分であって、上記湾曲部と前記ディスクトレー側接続部との間に有する構成とし、
上記ディスクトレーが上記イジェクト位置に位置する状態では、上記フレキシブルケーブルの上記可動部は上記補強用膜を有しない部分が上記筐体の奥部に向けて凸となるように湾曲されており、上記ディスクトレーが上記再生位置方向へ移動されると、上記湾曲部が上記可動部のうち上記補強用膜を有する部分に移動してくる構成としたことを特徴とするものである。
【０００９】
また、請求項２記載の発明では、請求項１記載のディスクドライブ装置において、前記補強用膜は、前記フレキシブルケーブルの前記固定部には形成されていないことを特徴とするとするものである。
また、請求項３記載の発明では、請求項１記載のディスクドライブ装置において、前記補強用膜は、前記フレキシブルケーブルの前記可動部のうち、前記ディスクトレー側接続部と反対側の部位には形成されていないことを特徴とするものである。
上記の各手段は、次のように作用する。
請求項１記載の発明によれば、
フレキシブルケーブルの所定部分に補強用膜を形成することにより、トレーが筐体内へ収納される時に、フレキシブルケーブルがトレーと筐体との間隙から外部へはみ出したり挟まれることなく、トレーの摺動に応じて湾曲部が筐体内を移動しながら筐体内に納まることができる。
【００１１】
【発明の実施の形態】
図１乃至図７を用いて本発明の一実施例であるノート型パーソナルコンピュータのディスクドライブ装置２を説明する。
本実施例においては、ディスクドライブ装置２は、ＣＤーＲＯＭ（以下「ディスク」という）が装着される再生装置である。ここで先ず、ディスクドライブ装置２の構成を説明する。
【００１２】
ディスクドライブ装置２は、大略すると筐体４と、ディスク（図示せず）が載置されるディスクトレー（以下「トレー」とする）６と、トレー６を摺動自在に支持するトレー摺動機構８と、筐体４が有する基板４０とトレー６が有する基板３８とを電気的に接続するフキシブルケーブル１０と、トレー６がディスクイジェクト位置に移動したときにトレー６を係止する係止機構１２と、トレー６が筐体４内のディスク再生位置に移動したときにトレー６をロックするロック機構１４等から構成されている。
【００１３】
図１は本体４の天板１６を外して、トレー６が筐体４内に収納されたディスク再生位置に移動した状態を示す。また、図２は同じく筐体本体４の天板１６を外してトレー６が筐体４外に出たディスクイジェクト位置に移動した状態を示す。ここで、トレー６は、手動操作で２本のガイドレール８ａ、８ｂからなるトレー摺動機構８に支持され、図１及び図２中、矢印Ａ、Ｂ方向に摺動してディスクイジェクト位置又はディスク再生位置に至る。
【００１４】
また、図３はトレー６の構成を示し、図４は筐体４の構成を示す。
トレー６は、前面ベゼル１８、トレー枠２０、駆動ユニット２２、サブシャーシ２４等からなり、筐体４は、天板１６とシャーシ１７等から構成される。
図４に示すように、前面ベゼル１８はトレー枠２０の前端に固定され、トレー６と一体的に図中Ａ、Ｂ方向に摺動し、トレー６が筐体４内に収納された時は蓋体として筐体４を密閉する。この前面ベゼル１８の中央には、トレー６を筐体４内から引き出す際に、ロック機構１４によるトレー６のロックを解除させるためのスイッチボタン２６が設けられている。
【００１５】
図３に示すように、トレー枠２０は、ディスクが載置されるディスク載置面２０ａと、ディスク載置面２０ａに穿設されたピックアップ及びターンテーブル用の開口２０ｂと、ディスク載置面２０ａに載置されたディスクを取り出す際に指が挿入される、ディスク取り出し用の円弧状の開口２０ｃとを有する。また、ディスク載置面２ａは、ディスクを取り出し易くするため、載置したディスクの一部がディスク枠２０からはみ出るようにディスクの外径よりも横幅寸法が小さくなるように形成されている。
【００１６】
更に、後述の係止機構１２ｂが配設された側のディスク枠２０の側面前方及び後方には、それぞれ第一の凹部、第二の凹部（図示せず）が配設されている。これらの第一の凹部及び第二の凹部は、トレー６のディスク再生位置及びディスクイジェクト位置において、係止部材１２ｂが係合するように設けられている。
図１及び図３に示すように、駆動ユニット２２は、サブシャーシ２４の上方に固着されるベース２８と、ベース２８に取り付けられたピックアップ３０と、モータ３１でスクリューシャフト３３を回転駆動させ、ピックアップ３０をディスク半径方向に移動させるピックアップ駆動部３２と、ディスクを載置し、クランプするクランプ機構を有するターンテーブル３４と、ターンテーブル３４を回転駆動させるターンテーブル駆動部３６等からなる。
【００１７】
ピックアップ３０は、ターンテーブル３４上に載置されたディスクに対し、ピックアップ駆動部３２の働きによって近接し、ディスクが記録している情報を例えばレーザで光学的に読み取るものである。また、ピックアップ３０は、ディスク半径方向に延在するベース２８の開口２８ａに対向するように設けられ、ピックアップ駆動部３２の駆動によってディスク半径方向に移動可能な構成とされている。
【００１８】
ターンテーブル駆動部３６はモータを有し、トレー６が所定のディスク再生位置に到着すると、ターンテーブル３４上にクランプされたディスクを一定の回転速度で定速駆動させる。
サブシャーシ２４は、トレー枠２０が載置固定される台であり、ピックアップ３０及びターンテーブル３４用の開口を有する四角形状の枠体２４ｃと、枠体２４ｃの互いに対向する側面に設けられ、図３中、矢印Ａ、Ｂ方向に延在するブラケット２４ａ、２４ｂとからなる。
【００１９】
図２及び図３に示すようにトレー摺動機構８は、同形状のガイドレール８ａ、８ｂからなり、上記サブシャーシ２４のブラケット２４ａ、２４ｂがそれぞれガイドレール８ａ、８ｂに嵌合する状態で取り付けられる。また、ガイドレール８ａ、８ｂがシャーシ１７の側面１７ａ、１７ｂにそれぞれ嵌合する構成のため、トレー６は、トレー摺動機構８によって矢印Ａ、Ｂ方向に摺動自在にガイドされた構成となっている。
【００２０】
図４に示すように、係止機構１２は係止部材１２ａ、１２ｂとからなる。係止部材１２ａは、トレー６がディスクイジェクト位置に移動した時、シャーシ１７に穿設された係止用穴１３ａに係合する。また、係止部材１２ｂはトレー６の側面後方にある第二の凹部（図示せず）に係合してトレー６を係止する。尚、係止部材１２ａ、１２ｂ及び係止用穴１３ａ、第一の凹部、第二の凹部は全て接触面が丸みを帯びており、トレー６に所定以上の力を加えると係止解除可能である。
【００２１】
ロック機構１４は、ソレノイド１４ｃを有するロックレバー１４ａと、係止ローラー１４ｂと、プランジャ１５とからなる。また、ロック機構１４は、トレー６が筐体４内のディスク再生位置に移動すると、サブシャーシ２４の枠体２４ｃの底面に取り付けられたロックレバー１４ａがシャーシ１７の底部に設けられた係止ローラー１４ｂを係止するように構成されている。
【００２２】
従って、前述した前面ベゼル１８のスイッチボタン２６をオン操作すると、枠体２４ｃの底面に取りつけられたソレノイド１４ｃが励磁されてロックレバー１４ａの端部と結合しているプランジャ１５を吸引し、ロックレバー１４ａが係止ローラー１４ｂから外れることによってロック解除状態となる。
トレー６の下面には図４に示すように、駆動ユニット２２の各部を駆動させるための基板３８が取り付けられている。一方、筐体４には外部接続用の基板４０が配設されており、上記駆動ユニット２２のピックアップ３０、ターンテーブル３４、ピックアップ駆動部３２、ターンテーブル駆動部３６等は基板３８及びフレキシブルケーブル１０を介して基板４０に接続されている。従って、ピックアップ３０、ターンテーブル３４、ピックアップ駆動部３２、ターンテーブル駆動部３６等は、外部からの制御信号により所定の動作を行う。
【００２３】
図５は本発明の要部を構成するフレキシブルケーブル１０の平面図であり、図６はフレキシブルケーブル１０の斜視図である。
フレキシブルケーブル１０は、図６に示すようにトレー６の摺動方向（図中、矢印Ａ、Ｂ方向）に延在し、筐体４のシャーシ１７上に貼着された固定部１０ｂと、トレー６の摺動に応じて移動する湾曲部１０ｃを有する可動部１０ａとがＵ字状の曲部１０ｄにより接続された形状とされている。
【００２４】
また、フレキシブルケーブル１０は材料構成として、絶縁性を有するフィルム状の第一の絶縁層４４上に導電パターン４６が配置され、その上から前記導電パターン４６の保護のために絶縁性を有する第二の絶縁層４８で被膜したものである。更に可動部１０ａの湾曲部１０ｃと第一のコネクタ５０との間には補強部４１が設けられている。
【００２５】
補強部４１は、フレキシブルケーブル１０がディスクドライブ装置２に配設された時に下側となる面上に塗料のシルクスクリーン印刷を施した部分である。上記シルクスクリーン印刷により補強部４１の下側面上には補強用膜４２が形成され、フレキシブルケーブル１０において補強部４１の剛性は他の部分よりも高くなっている。
【００２６】
また、第一のコネクタ５０と第二のコネクタ５２の部分は絶縁層で被覆されておらず、フレキシブルケーブル１０の接続端子として基板３８及び４０にそれぞれ接続されるようになっている。
尚、フレキシブルケーブル１０の絶縁層材料としては、ポリイミド、ポリエステル、ポリウレタン、アクリル等が使用されるが、ディスクドライブ装置２の使用温度、製造コスト等を考慮して適宜、材料を選択することが望ましい。
【００２７】
また、本実施例では、フレキシブルケーブル１０の補強部４１の下側面上にシルクスクリーン印刷により塗料を印刷したが、塗料の材質や筐体４の構造等によって両面又は上側面上だけシルクスクリーン印刷を施す方がよい場合もある。更に、フレキシブルケーブル１０の補強部４１の剛性を高めるためには塗料のシルクスクリーン印刷による印刷以外の方法を用いることも可能である。
【００２８】
ここで、図６に示すように上記フレキシブルケーブル１０はトレー６と筐体４とを電気的に接続し、筐体４内に湾曲した状態で配置されている。また、上記湾曲部１０ｃはトレー６の摺動に追従しながら筐体４内を移動するように設けられており、トレー６の摺動動作を妨げないようになっている。
次に、上記構成のディスクドライブ装置２の動作について説明する。
【００２９】
ディスク装着前のディスクドライブ装置２は、トレー６が筐体４内に収納されている。トレー６が筐体４内に収納された状態では、図４に示すようにサブシャーシ２４の底面に設けられたロック機構１４のロックレバー１４ａがシャーシ１７底部に設けられた係止ローラ１４ｂに係止され、且つ係止部材１２ｂがトレー６側面の第一の凹部（図示せず）に嵌合しており、トレー６は筐体４内に係止されている。
【００３０】
前面ベゼル１８のスイッチボタン２６がオンに操作されると、ソレノイド１４ｃの励磁力によりプランジャ１５が吸引され、プランジャ１５に結合されたロックレバー１４ａが係止ローラ１４ｂから解離してロック解除状態となる。
続いて手動で前面ベゼル１８をＡ方向に引くことにより、トレー６は、ガイドレール８ａ、８ｂにガイドされながらＡ方向に摺動する。図２に示すように、トレー６が筐体４から引き出されてディスクイジェクト位置に移動すると、係止部材１２ｂがトレー６側面の第二の凹部（図示せず）にクリック的に嵌合し、且つ図４で示すように、係止部材１２ａの係止部がＤ方向に変位してシャーシ１７の係止用穴１３ａに嵌合する。これにより、トレー６はディスクイジェクト位置に係止されるとともにＡ方向への摺動が規制される。
【００３１】
このようにしてトレー６がディスクイジェクト位置に係止されると、ターンテーブル３４上にディスクを載置することができる。
ディスクをターンテーブル３４上に載置後は前面ベゼル１８をＢ方向に押圧する。前面ベゼル１８がＢ方向に押圧されると、係止部材１２ｂの係止部がトレー６側面の第二の凹部（図示せず）から外れ、係止部材１２ａの係止部は図４中、矢印Ｃ方向に変位し、係止用穴１３ａから外れてトレー６の係止解除状態となる。
【００３２】
更に前面ベゼル１８をＢ方向に押圧し続けると、トレー６は一対のガイドレール８ａ、８ｂにガイドされながら摺動し、図１に示すディスク再生位置に復帰する。
トレー６がディスク再生位置に到着すると、係止部材１２ｂの係止部がトレー６側面の第一の凹部（図示せず）にクリック的に嵌合するとともに、ロック機構１４のロックレバー１４ａがシャーシ１７の係止ローラ１４ｂに再び係止される。この時、係止部材１２ｂの係止部がトレー６側面の第一の凹部（図示せず）に嵌合するクリック感によりトレー６がディスク装着位置に到着したことが感触で分かる。
【００３３】
図７は上記トレー６の摺動動作におけるフレキシブルケーブル１０の状態を示す断面図である。ここで、図７（Ａ）は、トレー６が筐体４内から出された、ディスクイジェクト位置にある状態を示し、図７（Ｂ）は、上記トレー６が筐体４内に収納中であることを示す。
本実施例のフレキシブルケーブル１０の補強部４１の下側面上には、補強用膜４２として塗料がシルクスクリーン印刷され剛性が向上しているので、補強部４１の部分が曲がりにくい状態となっている。従って、湾曲部１０ｃの曲率半径が従来のものよりも小さくなっている。
【００３４】
その結果、湾曲部１０ｃと筐体内面４ａとの摺動抵抗が減少しており、図７（Ａ）に示すようにディスクイジェクト位置からトレー６が筐体４側に収納されていく際、フレキシブルケーブル１０がトレー６の後縁部６ａと筐体４の前縁部４ｂとの隙間からはみ出てトレー６と筐体４とに挟まれることが無い。すなわち、フレキシブル１０は、トレー６の筐体４内への収納に従って湾曲部１０ｃを移動させながら、トレー６がディスク再生位置に来るまで、筐体４内に収納されたままである。
【００３５】
また、補強部４１の撓み具合が小さいので、フレキシブルケーブル１０は筐体４の内面４ａとは接触せず、あるいは接触しても接触圧は微小である。従って、フレキシブルケーブル１０と筐体内面４ａとの接触摩擦の抵抗でフレキシブルケーブル１０がトレー後縁部６ａと筐体前縁部４ｂとの間からはみ出たり、挟まれたりすることによりトレー６の不完全収納とフレキシブルケーブル１０の損傷を防止することが可能になっている。更に、フレキシブルケーブル１０と筐体内面４ａの接触圧が微小なので、接触によるフレキシブルケーブル１０の損傷も防止されている。
【００３６】
尚、上記実施例はディスクがＣＤーＲＯＭであり、ディスクの情報を光学的に読み取るノート型パーソナルコンピュータのディスクドライブ装置２を説明したが、ＣＤーＲＯＭドライブ装置に限らず他のディスクドライブ装置、例えばＣＤ、磁気ディスク、光ディスク、光磁気ディスク等の場合にも適用される。
また、上記実施例では、トレー６が手動操作により移動したが、これに限らず、本発明はモータ等の駆動手段によりトレー６を摺動させる構成のディスクドライブ装置にも適用可能である。
【００３７】
【発明の効果】
上記の如く本発明によれば、次に述べる効果を実現することができる。
請求項１記載の発明によれば、ディスクドライブ装置に具備されるフレキシブルケーブルの補強部に補強用膜を形成し、剛性を向上させている。従って、トレーの筐体内への収納時に筐体内面とフレキシブルケーブルとの接触による摩擦力の抵抗で、トレーと筐体との間隙からフレキシブルケーブルがはみ出て、トレーと筐体とに挟まれ、フレキシブルケーブルが損傷を負うということなくトレーを収納することが可能となる。
【図面の簡単な説明】
【図１】本発明の一実施例であるディスクドライブ装置のトレーがディスク再生位置にあることを示す図である。
【図２】ディスクドライブ装置のトレーがディスクイジェクト位置にあることを示す図である。
【図３】トレーの構成を示す図である。
【図４】筐体の構成を示す図である。
【図５】フレキシブルケーブルの構成を示す平面図である。
【図６】フレキシブルケーブルの構成を示す斜視図である。
【図７】本発明の一実施例であるディスクドライブ装置のトレーが筐体内に収納する状態を示す図である。
【図８】従来のフレキシブルケーブルを具備するディスクドライブ装置のトレーが筐体内に収納する状態を示す図である。
【符号の説明】
４、１０４  筐体
４ａ  筐体内面
４ｂ  筐体前縁部
６、１０６  ディスクトレー
６ａ  トレー後縁部
８  トレー摺動機構
８ａ、８ｂ  ガイドレール
１０、１１０  フレキシブルケーブル
１０ａ  可動部
１０ｂ  固定部
１０ｃ、１１０ａ  湾曲部
１０ｄ  曲部
１２  係止機構
１２ａ、１２ｂ  係止部材
１３ａ  係止用穴
１４  ロック機構
１４ａ  ロックレバー
１４ｂ  係止ローラ
１４ｃ  ソレノイド
１５  プランジャ
１６  天板
１７  シャーシ
１８  前面ベゼル
２０  トレー枠
２０ａ  ディスク載置面
２０ｂ、２０ｃ  開口
２２  駆動ユニット
２４  サブシャーシ
２４ｃ  枠体
２４ａ、２４ｂ  ブラケット
２６  スイッチボタン
２８  ベース
２８ａ  開口
３０  ピックアップ
３１  モータ
３２  ピックアップ駆動部
３３  スクリューシャフト
３４、１３４  ターンテーブル
３６  ターンテーブル駆動部
３８、４０  基板
４１  補強部
４２  補強用膜
４４  第一の絶縁層
４６  導電パターン
４８  第二の絶縁層
５０  第一のコネクタ
５２  第二のコネクタ
【図１】
0003714779.tif 000002
【図２】
0003714779.tif 000003
【図３】
0003714779.tif 000004
【図４】
0003714779.tif 000005
【図５】
0003714779.tif 000006
【図６】
0003714779.tif 000007
【図７】
0003714779.tif 000008
【図８】
0003714779.tif 000009